(57)【要約】      （修正有）【課題】カードの切欠き形状に依存しないイジェクト機能を有し、小型化が可能なカードコネクタを提供する【解決手段】カードコネクタＣ１は、ハウジング１と、トーション４ばねと、案内機構２２とを備えている。トーションばね４は、挿入されてきたカードに押され該カードを排出方向に付勢する可動腕部４２を有する。案内機構２２は、受入空間１１奥まで移動し、次いで排出方向に移動し始めた可動腕部４２を、排出方向への更なる移動を阻止するロック位置に案内し、ロック位置にある可動腕部４２がカードにより挿入方向Ｐに押されたときに、可動腕部をロック位置から解放する解放経路へと案内する。【選択図】図１
2014026770.tif 000002
【特許請求の範囲】
【請求項１】
挿入方向に挿入されてきたカードを受け入れる受入空間が形成されたハウジングと、
前記受入空間に挿入されてきたカードに押され該カードを排出方向に付勢しながら該受入空間奥側まで移動する可動腕部を有するトーションばねと、
前記カードに押されて前記受入空間奥まで移動し、次いで該カードへの押込力の解除に伴って排出方向に移動し始めた前記可動腕部を、該排出方向への更なる移動を阻止するロック位置に案内し、該ロック位置にある前記可動腕部が前記カードにより前記挿入方向に押されたときに、該可動腕部を該ロック位置から解放する解放経路へと案内する案内機構とを備えたことを特徴とするカードコネクタ。
【請求項２】
前記案内機構が、前記可動腕部の、前記受入空間に挿入されてきたカードに押されて移動する第１の移動経路上に設けられた、前記挿入方向奥側に向かって該挿入方向に対し斜めに傾き、前記挿入方向奥側に移動してきた前記可動腕部に第１面が押されて傾き角度を減じる向きに弾性変形し、該可動腕部の、該挿入方向奥側への通過に伴って弾性変形が解除されて斜めに傾いた形状に戻り、前記カードへの押込力の解除に伴って前記排出方向に戻ってきた該可動腕部を、前記第１面に対する裏面である第２面で前記ロック位置に向けて案内する第１の弾性舌片を備えたものであることを特徴とする請求項１記載のカードコネクタ。
【請求項３】
前記第１の弾性舌片が、前記ロック位置に、前記可動腕部の前記排出方向への移動を阻止するロック部を有することを特徴とする請求項２記載のカードコネクタ。
【請求項４】
前記ハウジングは、前記受入空間に受け入れたカードの一面が露出する皿形状の該受入空間を有し、当該カードコネクタは、該受入空間に受け入れたカードの該一面に沿って広がる金属板のシェルをさらに備え、
前記可動腕部が、前記受入空間を向いた内面に対する裏面である外面に沿って移動して前記案内機構に案内される被案内部と、該被案内部と繋がり、前記受入空間に入り込んで挿入されてきたカードの当接を受けて該カードに押される当接部とを有することを特徴とする請求項１又は２記載のカードコネクタ。
【請求項５】
前記案内機構が、前記金属板の加工により前記シェルの前記奥側の一部に設けられたものであることを特徴とする請求項４記載のカードコネクタ。
【請求項６】
前記案内機構がさらに、前記ロック位置にある前記可動腕部が前記受入空間に受け入れられた状態にあるカードに押されて移動する第２の移動経路上に配備され、前記挿入方向奥側に向かって該挿入方向に対し斜めに傾き、前記ロック位置から該挿入方向奥側に移動してきた前記可動腕部に第１面が押されて傾き角度を減じる向きに弾性変形し、該可動腕部の、該挿入方向奥側への通過に伴って弾性変形が解除されて斜めに傾いた形状に戻り前記カードへの押込力の解除に伴って前記排出方向に戻ってきた該可動腕部を、該第１面に対する裏面である第２面で前記解放経路に向けて案内して該可動腕部に前記カードを前記受入空間から排出させる第２の弾性舌片を備えたことを特徴とする請求項２から５のうちのいずれか１項記載のカードコネクタ。
【請求項７】
前記案内機構がさらに、
前記第１の移動経路上に配備され、前記挿入方向奥側から前記排出方向に向かって該挿入方向に対し斜めに傾き、該挿入方向奥側に移動してきた前記可動腕部を前記第１の弾性舌片を押す向きに案内する第１のカム片と、
前記第２の移動経路上に配備され、前記挿入方向奥側から前記排出方向に向かって該挿入方向に対し斜めに傾き、該挿入方向奥側に移動してきた前記可動腕部を前記第２の弾性舌片を押す向きに案内する第２のカム片とを備えたことを特徴とする請求項６記載のカードコネクタ。
【請求項８】
前記案内機構がさらに、前記挿入方向奥側が支持された片持ち梁形状を有し前記第１の弾性舌片の前記第２面に向かって前記排出方向に延びた第３のカム片であって、該第１の弾性舌片の該第２面に案内されて前記排出方向に移動してきた前記可動腕部を、前記ロック位置に向けて、該第１の弾性舌片の該第２面と、該第２面に面する、当該第３のカム片の第１面との間を通過させ、該ロック位置にある該可動腕部の前記挿入方向への移動の際は、該第１の弾性舌片の該第２面に沿う移動を阻止し当該第３のカム片の前記第１面に対する裏面である第２面で前記解放経路に案内して、該可動腕部に前記カードを前記受入空間から排出させる第３のカム片を備えたことを特徴とする請求項２から５のうちのいずれか１項記載のカードコネクタ。
【発明の詳細な説明】
【技術分野】
【０００１】
本発明は、カードコネクタに関する。
【背景技術】
【０００２】
ＩＣが内蔵されたカードを電子機器に装着するためのカードコネクタとして、プッシュ／プッシュ形式のカードイジェクト機構を有するカードコネクタが知られている。
【０００３】
例えば特許文献１には、ハウジング本体に対し摺動自在な摺動ケースと、トーションばねとを備えたカードコネクタが示されている。摺動ケースにはハート型溝カムが設けられており、トーションばねはこのハート型溝カムに係合する。ハウジング本体にメモリーカードが挿入されると摺動ケースが奥に移動する。このとき、トーションばねの係合部がハート型溝カムにガイドされる。
【０００４】
また、特許文献２には、カム部と、フォロワーと、弾性支持部材と、金属カバーとを備えたカードコネクタが示されている。カム部と、フォロワーと、弾性支持部材と、金属カバーとは、一体形成されている。弾性支持部材はフォロワーを弾性支持しており、カードの、先端の角部が面取りされた部分に押されて変形する。
【先行技術文献】
【特許文献】
【０００５】
【特許文献１】特開２００３−７７５８６号公報
【特許文献２】特開２００６−３０２７１８号公報
【発明の概要】
【発明が解決しようとする課題】
【０００６】
特許文献１のカードコネクタは、カムが設けられた摺動ケースを摺動させるので部品点数が多く、小型化が困難である。特許文献２のカードコネクタは、カム部とフォロワーとの係合状態が加工精度に極度に依存するので、量産化が困難である。また、特許文献２のカードコネクタの動作は、カードの面取りされた部分、すなわち斜めに切欠かれた部分の形状に依存するため、例えば切欠きの無いカードに対応できないおそれがある。
【０００７】
本発明は上記問題点を解決し、カードの切欠き形状に依存しないイジェクト機能を有し、小型化が可能なカードコネクタを提供することを目的とするものである。
【課題を解決するための手段】
【０００８】
上記目的を達成する本発明のカードコネクタは、
挿入方向に挿入されてきたカードを受け入れる受入空間が形成されたハウジングと、
上記受入空間に挿入されてきたカードに押されこのカードを排出方向に付勢しながらこの受入空間奥側まで移動する可動腕部を有するトーションばねと、
上記カードに押されて上記受入空間奥まで移動し、次いでこのカードへの押込力の解除に伴って排出方向に移動し始めた上記可動腕部を、この排出方向への更なる移動を阻止するロック位置に案内し、このロック位置にある上記可動腕部が上記カードにより上記挿入方向に押されたときに、この可動腕部をこのロック位置から解放する解放経路へと案内する案内機構とを備えたことを特徴とする。
【０００９】
本発明のカードコネクタでは、トーションばねの可動腕部が、カードに押され奥側に移動し、この可動腕部が案内機構によってロック位置および解放経路へ案内される。本発明のカードコネクタによれば、プッシュ／プッシュ形式のイジェクト機能がカードの切欠きに依存せず実現できる。さらに、トーションばね以外にはスライドする部材が不要なので、小型化が可能である。
【００１０】
ここで、上記本発明のカードコネクタにおいて、上記案内機構が、上記可動腕部の、上記受入空間に挿入されてきたカードに押されて移動する第１の移動経路上に設けられた、上記挿入方向奥側に向かってこの挿入方向に対し斜めに傾き、上記挿入方向奥側に移動してきた上記可動腕部に第１面が押されて傾き角度を減じる向きに弾性変形し、この可動腕部の、この挿入方向奥側への通過に伴って弾性変形が解除されて斜めに傾いた形状に戻り、上記カードへの押込力の解除に伴って上記排出方向に戻ってきたこの可動腕部を、上記第１面に対する裏面である第２面で上記ロック位置に向けて案内する第１の弾性舌片を備えたものであることが好ましい。
【００１１】
例えばハート型溝の底の形状によって案内経路を切換える溝カムとは異なり、弾性舌片自体が変形することによって案内する経路が切換えられる。このため、トーションばねの可動腕部が弧に沿って移動しても確実に案内される。
【００１２】
また、上記本発明のカードコネクタにおいて、上記第１の弾性舌片が、上記ロック位置に、上記可動腕部の上記排出方向への移動を阻止するロック部を有することが好ましい。
【００１３】
ロック部が弾性舌片に設けられることで、部品点数が減少する。
【００１４】
また、上記本発明のカードコネクタにおいて、上記ハウジングは、上記受入空間に受け入れたカードの一面が露出する皿形状のこの受入空間を有し、当該カードコネクタは、この受入空間に受け入れたカードのこの一面に沿って広がる金属板のシェルをさらに備え、
上記可動腕部が、上記受入空間を向いた内面に対する裏面である外面に沿って移動して上記案内機構に案内される被案内部と、この被案内部と繋がり、上記受入空間に入り込んで挿入されてきたカードの当接を受けてこのカードに押される当接部とを有することが好ましい。
【００１５】
トーションばねの可動腕部が、案内機構に案内される被案内部とカードの当接を受ける当接部との双方を有するため、被案内部と当接部が別の部材である場合に比べて、部品点数が低減される。
【００１６】
また、上記本発明のカードコネクタにおいて、上記案内機構が、上記金属板の加工により上記シェルの上記奥側の一部に設けられたものであることが好ましい。
【００１７】
案内機構が、シェルの一部であることにより、部品点数および組立て工数がさらに低減される。
【００１８】
また、上記本発明のカードコネクタにおいて、上記案内機構がさらに、上記ロック位置にある上記可動腕部が上記受入空間に受け入れられた状態にあるカードに押されて移動する第２の移動経路上に配備され、上記挿入方向奥側に向かってこの挿入方向に対し斜めに傾き、上記ロック位置からこの挿入方向奥側に移動してきた上記可動腕部に第１面が押されて傾き角度を減じる向きに弾性変形し、この可動腕部の、この挿入方向奥側への通過に伴って弾性変形が解除されて斜めに傾いた形状に戻り上記カードへの押込力の解除に伴って上記排出方向に戻ってきたこの可動腕部を、この第１面に対する裏面である第２面で上記解放経路に向けて案内してこの可動腕部に上記カードを上記受入空間から排出させる第２の弾性舌片を備えたことが好ましい。
【００１９】
ロック位置にある可動腕部の解放についても、第２の弾性舌片自体が変形することによって案内する面が切換えられる。このため、トーションばねの可動腕部が確実に案内される。
【００２０】
また、上記本発明のカードコネクタにおいて、上記案内機構がさらに、
上記第１の移動経路上に配備され、上記挿入方向奥側から上記排出方向に向かってこの挿入方向に対し斜めに傾き、この挿入方向奥側に移動してきた上記可動腕部を上記第１の弾性舌片を押す向きに案内する第１のカム片と、
上記第２の移動経路上に配備され、上記挿入方向奥側から上記排出方向に向かってこの挿入方向に対し斜めに傾き、この挿入方向奥側に移動してきた上記可動腕部を上記第２の弾性舌片を押す向きに案内する第２のカム片とを備えたことが好ましい。
【００２１】
可動腕部が、カム片の案内によって弾性舌片を確実に変形させるため、可動腕部の経路が確実に切り替えられる。
【００２２】
また、上記本発明のカードコネクタにおいて、上記案内機構がさらに、上記挿入方向奥側が支持された片持ち梁形状を有し上記第１の弾性舌片の上記第２面に向かって上記排出方向に延びた第３のカム片であって、この第１の弾性舌片のこの第２面に案内されて上記排出方向に移動してきた上記可動腕部を、上記ロック位置に向けて、この第１の弾性舌片のこの第２面と、この第２面に面する、当該第３のカム片の第１面との間を通過させ、このロック位置にあるこの可動腕部の上記挿入方向への移動の際は、この第１の弾性舌片のこの第２面に沿う移動を阻止し当該第３のカム片の上記第１面に対する裏面である第２面で上記解放経路に案内して、この可動腕部に上記カードを上記受入空間から排出させる第３のカム片を備えたものであってもよい。
【００２３】
第１の弾性舌片の変形により、第３のカム片の第１面および第２面を切換えて案内させることによって、トーションばねの可動腕部が確実に案内される。
【発明の効果】
【００２４】
以上説明したように、本発明によれば、カードの切欠き形状に依存せず、小型化が可能なカードコネクタが実現する。
【図面の簡単な説明】
【００２５】
【図１】本発明のカードコネクタの第１実施形態を示す平面図である。
【図２】図１に示すカードコネクタの側面図である。
【図３】図１に示すトーションばねを単体で示す斜視図である。
【図４】図１に示すカードコネクタの案内機構の部分を示す拡大図であり、パート（Ａ）は平面図であり、パート（Ｂ）はパート（Ａ）のＢ−Ｂ線概略断面図である。
【図５】図４に示す状態から、可動腕部が挿入方向に移動した状態を示す図であり、パート（Ａ）は平面図であり、パート（Ｂ）は概略断面図である。
【図６】図５に示す状態から、可動腕部がさらに挿入方向に移動した状態を示す図であり、パート（Ａ）は平面図であり、パート（Ｂ）は概略断面図である。
【図７】図６に示す状態から、可動腕部が排出方向に移動し始めた状態を示す図であり、パート（Ａ）は平面図であり、パート（Ｂ）は概略断面図である。
【図８】図７に示す状態から、可動腕部がさらに排出方向に移動した状態を示す図であり、パート（Ａ）は平面図であり、パート（Ｂ）は概略断面図である。
【図９】図８に示す状態から、可動腕部が挿入方向に移動した状態を示す図であり、パート（Ａ）は平面図であり、パート（Ｂ）は概略断面図である。
【図１０】図９に示す状態から、可動腕部がさらに挿入方向に移動した状態を示す図であり、パート（Ａ）は平面図であり、パート（Ｂ）は概略断面図である。
【図１１】図１０に示す状態から、可動腕部が排出方向に移動し始めた状態を示す図であり、パート（Ａ）は平面図であり、パート（Ｂ）は概略断面図である。
【図１２】本発明のカードコネクタの第２実施形態を示す平面図である。
【図１３】図１２に示すカードコネクタの案内機構の部分を示す拡大図であり、パート（Ａ）は平面図であり、パート（Ｂ）はパート（Ａ）のＣ−Ｃ線概略断面図である。
【図１４】図１３に示す状態から、可動腕部が挿入方向に移動した状態を示す図であり、パート（Ａ）は平面図であり、パート（Ｂ）は概略断面図である。
【図１５】図１４に示す状態から、可動腕部がさらに挿入方向に移動した状態を示す図であり、パート（Ａ）は平面図であり、パート（Ｂ）は概略断面図である。
【図１６】図１５に示す状態から、可動腕部が排出方向に移動し始めた状態を示す図であり、パート（Ａ）は平面図であり、パート（Ｂ）は概略断面図である。
【図１７】図１６に示す状態から、可動腕部が挿入方向に移動した状態を示す図であり、パート（Ａ）は平面図であり、パート（Ｂ）は概略断面図である。
【図１８】図１７に示す状態から、可動腕部が排出方向に移動し始めた状態を示す図であり、パート（Ａ）は平面図であり、パート（Ｂ）は概略断面図である。
【発明を実施するための形態】
【００２６】
以下図面を参照して本発明の実施の形態を説明する。
【００２７】
図１は、本発明のカードコネクタの第１実施形態を示す平面図である。また、図２は、図１に示すカードコネクタの側面図である。
【００２８】
図１および図２には、カードコネクタＣ１と、カードコネクタＣ１に装着されるカードＪが示されている。カードＪにはＩＣが内蔵されている。カードＪは、例えばＳＤカードである。ここで、カードＪがカードコネクタＣ１に挿入される方向を挿入方向Ｐと称し、挿入方向Ｐの反対方向を排出方向Ｅと称する。
【００２９】
カードＪは、概略矩形の板状であり、カードＪの挿入方向Ｐにおける前端縁の一方の端には切欠き（面取り）Ｎが形成されている。また、カードＪには、複数の電気接点Ｑが設けられている。電気接点Ｑは、図１に示す姿勢において下面、すなわち図１に表れる面の反対面に配置されている。
【００３０】
カードコネクタＣ１は、ハウジング１、シェル２、コンタクト３、およびトーションばね４を備えている。
【００３１】
ハウジング１は、絶縁性の樹脂材料からなる成型品である。シェル２は、金属板を打抜き加工および折曲げ加工することで形成されている。ハウジング１およびシェル２は、双方とも概略矩形状である。ハウジング１には、挿入されてきたカードＪを受け入れる皿状の受入空間１１が形成されている。したがって、シェル２が無い場合、カードＪは、受入空間１１に受け入れられた状態で、一面（図１に表れる上面）がハウジング１から露出する。シェル２は、この一面に沿って広がるように、ハウジング１に取り付けられている。受入空間１１は、ハウジング１とシェル２の間に設けられ、挿入口１１ａで外部に開口した空洞である。カードＪは挿入口１１ａから受入空間１１へ挿入方向Ｐに挿入される。ここで、挿入方向Ｐに垂直な、ハウジング１からシェル２を向いた方向を上方向Ｕと称し、上方向Ｕとは反対方向を下方向Ｄと称する。また、上方向Ｕおよび下方向Ｄを含む方向を上下方向ＵＤと称する。
【００３２】
コンタクト３は、カードＪの電気接点Ｑと電気的に接続する部材である。コンタクト３は、金属板を打抜き加工および折曲げ加工することで形成されている。コンタクト３は、ハウジング１内にインサート成形等によって保持されている。図１には、複数のコンタクト３および複数の電気接点Ｑのうち一部が示されている。
【００３３】
［トーションばね］
図３は、図１に示すトーションばねを単体で示す斜視図である。
【００３４】
トーションばね４は、典型的にはピアノ線に代表される金属線を曲げ加工することで形成された部材である。トーションばね４は、コイル部４１と、このコイル部４１の両側の端から延びた可動腕部４２および固定腕部４３とを有する。可動腕部４２および固定腕部４３は、ほぼ直線状に延びた細い丸棒状の部分である。可動腕部４２は、固定腕部４３よりも長く、当接部４２１および被案内部４２２を有する。当接部４２１は、直線状に延びた可動腕部４２の途中を折曲げることによって形成された突起である。被案内部４２２は、可動腕部４２のうち、当接部４２１よりも先端側の部分である。
【００３５】
図１に示すように、コイル部４１はハウジング１に支持されており、固定腕部４３はハウジング１に固定されている。可動腕部４２は、コイル部４１を中心として回転自在であり、シェル２の上面２２ａに沿って移動する。ここで、上面２２ａは、シェル２の、受入空間１１を向いた内面に対する外面である。ただし、可動腕部４２の一部は内面に沿って移動する場合がある。可動腕部４２は、コイル部４１の弾性力によって排出方向Ｅに付勢されている。
【００３６】
シェル２には、トーションばね４のコイル部４１を中心とした弧状のスリット２１が設けられている。当接部４２１は、スリット２１を貫通して、受入空間１１に突出している。当接部４２１は、受入空間１１に挿入方向Ｐに入り込んできたカードＪの前端、より詳細には、カードＪの前端のうち切欠きＮ以外の部分に当接する。当接部４２１は、カードＪの当接を受けてカードＪに押されながら、スリット２１に沿って挿入方向Ｐに移動する。ただし、可動腕部４２は、コイル部４１を中心として回転するため、トーションばね４の当接部４２１は、挿入方向Ｐと厳密に平行ではなく、コイル部４１を中心とした弧に沿って挿入方向Ｐに移動する。当接部４２１は、カードＪの前端に押されて挿入方向Ｐに移動するとともに、カードＪの前端に沿って摺動することとなる。
【００３７】
［案内機構］
図４は、図１に示すカードコネクタの案内機構の部分を示す拡大図である。図４のパート（Ａ）は平面図であり、パート（Ｂ）はパート（Ａ）のＢ−Ｂ線概略断面図である。
【００３８】
シェル２には、トーションばね４の可動腕部４２を案内する案内機構２２が設けられている。案内機構２２は、金属板の加工によりシェル２の挿入方向Ｐ奥側の一部に設けられた部分である。つまり、案内機構２２はシェル２と一体に形成されている。案内機構２２は、カードコネクタＣ１に挿入された状態のカードＪより上方向Ｕの位置に配置されている。案内機構２２は、第１の弾性舌片２２２、第２の弾性舌片２２３、舌片基部２２４、第１のカム片２２５、および第２のカム片２２６を有する。
【００３９】
第１の弾性舌片２２２および第２の弾性舌片２２３は、舌片基部２２４から二股状に分かれて挿入方向Ｐ奥側に向かって突出している。第１の弾性舌片２２２の全体は、挿入方向Ｐに対し斜めに傾いて延びた形状を有し、途中にロック部２２Ｌを有する。ロック部２２Ｌは、挿入方向Ｐに延びた第１の弾性舌片２２２の途中で、上方向Ｕに折れ曲がった鉤状の部分である。第１の弾性舌片２２２は、ロック部２２Ｌの上端でさらに折れ曲がり、挿入方向Ｐに対し斜め上方に傾き角度を有して延びている。第２の弾性舌片２２３は、第１の弾性舌片２２２とほぼ平行に、挿入方向Ｐに対し斜め上方に傾いて延びている。第２の弾性舌片２２３は、第１の弾性舌片２２２よりも下方向Ｄに配置されており、第２の弾性舌片２２３と第１の弾性舌片２２２との間には、トーションばね４の被案内部４２２の太さよりも大きい隙間が空いている。第１の弾性舌片２２２は、トーションばね４の可動腕部４２を、ロック部２２Ｌに案内する。また、第２の弾性舌片２２３は、ロック部２２Ｌにある可動腕部４２を、ロック部２２Ｌから解放する解放経路へと案内する。
【００４０】
第１のカム片２２５および第２のカム片２２６は、挿入方向Ｐ奥側から排出方向Ｅに向かって突出している。第１の弾性舌片２２２および第２の弾性舌片２２３は、互いに並んで挿入方向Ｐに延びている。第２のカム片２２６は、平面視において第１の弾性舌片２２２と第２の弾性舌片２２３との間に配置されている。図４のパート（Ｂ）に示すように、第１のカム片２２５は、排出方向Ｅに対し斜め上方向Ｕに傾いて延びている。
【００４１】
ここで、第１の弾性舌片２２２、第２の弾性舌片２２３、第１のカム片２２５、および第２のカム片２２６のそれぞれのうち上方向Ｕを向いた上面が本発明にいう第１の面の一例に相当し、下方向Ｄを向いた下面が本発明にいう第２の面の一例に相当する。
【００４２】
第１のカム片２２５の先端は、シェル２の外面２２ａよりも上方向Ｕに配置されている。第１のカム片２２５の先端と外面２２ａとの間には、トーションばね４の被案内部４２２の太さよりも大きい隙間が空いている。第２のカム片２２６は、第１のカム片２２５よりも下方向Ｄに配置されている。第２のカム片２２６も、第１のカム片２２５とほぼ平行に、排出方向Ｅに対し斜め上方向Ｕに傾いて延びている。第２のカム片２２６の先端は、第１の弾性舌片２２２のうちの挿入方向Ｐで同じ位置の部分と同じ高さか、この部分よりも上方向Ｕに配置されている。
【００４３】
第１の弾性舌片２２２の先端は、第１のカム片２２５のうちの挿入方向Ｐで同じ位置の部分と同じ高さか、この部分よりも上方向Ｕにある。また、第２の弾性舌片２２３の先端は、第２のカム片２２６のうちの挿入方向Ｐで同じ位置の部分と同じ高さか、この部分よりも上方向Ｕにある。
【００４４】
［カードの挿入］
図４には、カードコネクタＣ１の途中まで挿入されてきたカードＪの前端が示されている。図４に示す位置にあるカードＪは可動腕部４２の当接部４２１に当接している。カードＪは、図４に示す位置よりもさらに挿入方向Ｐに挿入されると、当接部４２１を介して可動腕部４２を押す。可動腕部４２は、カードＪに押され、シェル２の外面２２ａに沿って受入空間１１（図１参照）奥側まで移動する。可動腕部４２は、弾性力でカードＪを排出方向Ｅに付勢する。
【００４５】
図５は、図４に示す状態から、可動腕部が挿入方向に移動した状態を示す図である。図５のパート（Ａ）は平面図であり、パート（Ｂ）は概略断面図である。なお、図５以降では、カードＪの図示およびハッチングを省略する。
【００４６】
可動腕部４２は、カードＪに押され、シェル２の外面２２ａに沿って移動する。可動腕部４２がカードＪに押されて移動する経路を第１の移動経路Ｒ１とする。第１の移動経路Ｒ１上には、第１のカム片２２５および第１の弾性舌片２２２が配置されている。挿入方向Ｐ奥側に移動してきた可動腕部４２は、第１のカム片２２５の下面と、第１の弾性舌片２２２の上面との間に入り込む。第１のカム片２２５は、挿入方向Ｐ奥側に移動する可動腕部４２を、第１の弾性舌片２２２を押す向きすなわち下方向Ｄに案内する。
【００４７】
第１の弾性舌片２２２は、可動腕部４２に上面が押されて、傾き角度が減じる向きに弾性変形する。すなわち、第１の弾性舌片２２２は、可動腕部４２に押されない状態と比べて下方向Ｄに弾性変形する。
【００４８】
図６は、図５に示す状態から、可動腕部がさらに挿入方向に移動した状態を示す図である。図６のパート（Ａ）は平面図であり、パート（Ｂ）は概略断面図である。
【００４９】
図６には、カードＪ（図４参照）が挿入方向Ｐの最奥まで押し込まれた状態が示されている。第１の弾性舌片２２２は、可動腕部４２の被案内部４２２が挿入方向Ｐ奥側へ通過すると、弾性変形が解除されて斜めに傾いた形状に戻る。すなわち、第１の弾性舌片２２２は、上方向Ｕに戻り、第１の弾性舌片２２２の先端は、第１のカム片２２５と同じ高さか、第１のカム片２２５よりも上方向Ｕに位置する。第１の弾性舌片２２２が弾性変形から戻ることによって、可動腕部４２の移動経路が切り替わる。
【００５０】
図７は、図６に示す状態から、可動腕部が排出方向に移動し始めた状態を示す図である。図７のパート（Ａ）は平面図であり、パート（Ｂ）は概略断面図である。
【００５１】
可動腕部４２は、カードＪ（図４参照）への押込力の解除に伴って、図６に示す位置から排出方向Ｅに戻る。第１の弾性舌片２２２は、可動腕部４２の被案内部４２２を、今度は下面で案内する。より詳細には、被案内部４２２は、第１の弾性舌片２２２の下面と、第２のカム片２２６の上面との間を通る。このとき、被案内部４２２は、排出方向Ｅに対し斜め上方向Ｕに傾いて延びた第１のカム片２２５の下面に案内されることによって、第１の弾性舌片２２２を上方向Ｕに弾性変形させながら、ロック部２２Ｌに向かって移動する。
【００５２】
図８は、図７に示す状態から、可動腕部がさらに排出方向に移動した状態を示す図である。図８のパート（Ａ）は平面図であり、パート（Ｂ）は概略断面図である。
【００５３】
可動腕部４２の被案内部４２２が、排出方向Ｅに移動する途中で第１の弾性舌片２２２を通過すると、第１の弾性舌片２２２は弾性変形した状態から、下方向Ｄに戻る。これによって、被案内部４２２の移動経路が切り替わる。
【００５４】
被案内部４２２は、排出方向Ｅに移動すると、第１の弾性舌片２２２のロック部２２Ｌに当接する。被案内部４２２がロック部２２Ｌに当接した位置を、ロック位置と称する。被案内部４２２は、ロック位置に保持されることで、排出方向Ｅへの更なる移動が阻止される。したがって、カードＪの排出方向Ｅへの戻りが止まる。図８に示す状態は、図１に示すカードＪが、カードコネクタＣ１に装着完了した状態に対応する。このとき、カードＪの電気接点ＱがカードコネクタＣ１のコンタクト３と接触する。
【００５５】
［カードの取出し］
図９は、図８に示す状態から、可動腕部が挿入方向に移動した状態を示す図である。図９のパート（Ａ）は平面図であり、パート（Ｂ）は概略断面図である。
【００５６】
受入空間１１（図１参照）に受け入れられたカードＪ（図１参照）が、取出しのため挿入方向Ｐに押し込まれると、図８に示す位置にある可動腕部４２がカードＪに押されて挿入方向Ｐに移動する。可動腕部４２の被案内部４２２は、今度は、第２のカム片２２６の下面と、第２の弾性舌片２２３の上面との間の第２の移動経路Ｒ２を通る。この第２の移動経路Ｒ２上には、第２のカム片２２６と第２の弾性舌片２２３が配備されている。第２のカム片２２６は、排出方向Ｅに対し上方向Ｕに傾いて延びており、すなわち挿入方向Ｐに対し下方向Ｄに傾いて延びている。第２のカム片２２６は、挿入方向Ｐに移動してきた可動腕部４２を下方向Ｄに押す向きに案内する。つまり、可動腕部４２は、第２の弾性舌片２２３を上方向Ｕへの傾き角度を減じる向きすなわち下方向Ｄに弾性変形させながら移動する。
【００５７】
図１０は、図９に示す状態から、可動腕部がさらに挿入方向に移動した状態を示す図である。図１０のパート（Ａ）は平面図であり、パート（Ｂ）は概略断面図である。
【００５８】
図１０には、カードＪ（図４参照）が挿入方向Ｐの最奥まで押し込まれた状態が示されている。
【００５９】
可動腕部４２の被案内部４２２が挿入方向Ｐに移動する途中で第２の弾性舌片２２３を通過すると、第２の弾性舌片２２３は、弾性変形が解除されて上方向Ｕに斜めに傾いた形状に戻る。これによって、被案内部４２２の移動経路が切り替わる。
【００６０】
図１１は、図１０に示す状態から、可動腕部が排出方向に移動し始めた状態を示す図である。図１１のパート（Ａ）は平面図であり、パート（Ｂ）は概略断面図である。
【００６１】
可動腕部４２は、カードＪ（図４参照）への押込力の解除に伴って、図１０に示す位置から排出方向Ｅに戻る。第２の弾性舌片２２３は、可動腕部４２の被案内部４２２を、今度は下面で案内する。被案内部４２２は、さらに、舌片基部２２４の下面に沿った第３の移動経路である解放経路Ｒ３を排出方向Ｅに移動し、舌片基部２２４の縁から、外面２２ａに戻る。可動腕部４２の排出方向Ｅへの移動に伴い、カードＪ（図１参照）は、受入空間１１（図１参照）から排出される。最終的に、可動腕部４２は図４に示す初期の状態に戻る。ここで、被案内部４２２をロック位置から解放する、図９に示す第２の移動経路Ｒ２および図１１に示す解放経路Ｒ３の組合せが、本発明にいう解放経路の一例に相当する。
【００６２】
本実施形態のカードコネクタＣ１は、トーションばね４の可動腕部４２が、カードＪの排出と、ロック位置に対する案内および解除の機能を兼ねている。したがって、例えば、カム係合を駆動するためのスライダや、ハートカム溝と係合するカムロッドを備える必要が無い。このため、部品点数が低減され、カードコネクタの小型化が可能である。また、案内機構によってロック位置および解放経路へ案内される可動腕部４２は、トーションばね４の一部であるため、カードＪの、切欠き以外の先端縁に当接させることができる。したがって、イジェクト機能がカードの切欠きに依存せず実現できる。またさらに、トーションばね４の可動腕部４２には、案内機構２２に案内される被案内部４２２とカードＪの当接を受ける当接部４２１との双方を一体に形成されているため、部品点数がさらに低減される。
【００６３】
また、本実施形態のカードコネクタＣ１の案内機構２２は、シェル２の一部に設けられているため、部品点数が低減される。
【００６４】
また、案内機構２２の第１の弾性舌片２２２および第２の弾性舌片２２３は、それ自体が変形することで可動腕部４２の案内経路を切換えている。したがって、ハート型溝の底の段形状によって案内経路を切換える溝カムとは異なり、弧を描いて移動するトーションばね４の被案内部４２２であっても確実に案内することができる。
【００６５】
また、案内機構２２の第１及び第２のカム片２２５，２２６が、可動腕部４２を第１及び第２の弾性舌片２２２，２２３を押す向きに案内することによって、可動腕部４２が、弾性舌片２２２，２２３の弾性力に抗して、弾性舌片２２２，２２３を確実に弾性変形させることができる。
【００６６】
［第２実施形態］
次に、本発明の第２実施形態について説明する。以下の第２実施形態の説明にあたっては、これまで説明してきた実施形態における各要素と同一の要素には同一の符号を付けて示し、前述の実施形態との相違点について説明する。
【００６７】
図１２は、本発明のカードコネクタの第２実施形態を示す平面図である。
【００６８】
図１２に示すカードコネクタＣ２は、シェル６に形成された案内機構６２の形状が、図１に示す第１実施形態のカードコネクタＣ１と異なる。
【００６９】
図１３は、図１２に示すカードコネクタの案内機構の部分を示す拡大図である。図１３のパート（Ａ）は平面図であり、パート（Ｂ）はパート（Ａ）のＣ−Ｃ線概略断面図である。
【００７０】
図１３に示す案内機構６２は、第１の弾性舌片６２２、第２の弾性舌片６２３、第１のカム片６２５、第２のカム片６２６、およびカム片基部６２７を有する。
【００７１】
第１の弾性舌片６２２および第２の弾性舌片６２３は、互いに並んで、挿入方向Ｐに対し斜めに傾いて延びている。より詳細には、第１の弾性舌片６２２は、先端部が挿入方向Ｐに対し斜め上方向Ｕに延びている。また、第２の弾性舌片６２３の全体は、挿入方向Ｐに対し斜めに傾いて延びた形状を有し、途中にロック部６２Ｌを有する。より詳細には、ロック部６２Ｌは、挿入方向Ｐに延びた第１の弾性舌片６２２の途中で、上方向Ｕに鉤状に折れ曲がった部分である。第２の弾性舌片６２３は、ロック部６２Ｌの上端でさらに折れ曲がり、挿入方向Ｐに対し斜め上方に傾いて延びている。
【００７２】
カム片基部６２７は、平面視でシェル６の後端縁部から排出方向Ｅに突出し、途中から排出方向Ｅとは直角方向に曲がり水平方向に延びている。第１のカム片６２５および第２のカム片６２６は、カム片基部６２７から、排出方向Ｅに向かって突出している。図１３のパート（Ｂ）に示すように、第１のカム片６２５および第２のカム片６２６は、カム片基部６２７を介して、挿入方向Ｐ奥側が支持された片持ち梁形状を有している。第１のカム片６２５は、第２のカム片６２６よりも上方向Ｕに配置されている。第１の弾性舌片６２２および第２の弾性舌片６２３の先端は、第１のカム片６２５よりも可動腕部４２の太さ分以上、下方向Ｄに配置されている。第２のカム片６２６は、第１の弾性舌片６２２の下面に向かって排出方向Ｅに延びている。より詳細には、第１の弾性舌片６２２および第２の弾性舌片６２３の先端は、第２のカム片６２６よりも可動腕部４２の太さ分以上、上方向Ｕに配置されている。第２のカム片６２６の先端は、第１の弾性舌片６２２および第２の弾性舌片６２３と同じ高さか、または第１の弾性舌片６２２および第２の弾性舌片６２３よりも上方向Ｕに配置されている。
【００７３】
ここで、第１の弾性舌片６２２および第２の弾性舌片６２３の組合せが、本発明にいう第１の段舌片の一例に相当する。また、第２のカム片６２６が本発明にいう第３のカム片の一例に相当する。
【００７４】
続いて、カードＪ（図１参照）の挿入および排出時における、トーションばね４の可動腕部４２の被案内部４２２の移動について説明する。本実施形態では、可動腕部４２の被案内部４２２は、図３のパート（Ｂ）に示す第１のカム片６２５、第２のカム片６２６、およびカム片基部６２７の周囲を巡るように移動する。
【００７５】
［カードの挿入］
図１４は、図１３に示す状態から、可動腕部が挿入方向に移動した状態を示す図である。図１４のパート（Ａ）は平面図であり、パート（Ｂ）は概略断面図である。なお、図１４以降では、ハッチングを省略する。
【００７６】
可動腕部４２は、当接部４２１がカードＪ（図１参照）に押されることで挿入方向Ｐに移動する。挿入方向Ｐ奥側に移動してきた可動腕部４２の被案内部４２２は、第１のカム片６２５と、第１の弾性舌片６２２および第２の弾性舌片６２３との間に入る。被案内部４２２は、第１の弾性舌片６２２および第２の弾性舌片６２３の上面に案内される。第２の弾性舌片６２３には、ロック部６２Ｌを形成するよう折れ曲がっているが、第１の弾性舌片６２２は折れ曲がりを有さないため、可動腕部４２のロック部６２Ｌへの引掛かりが回避される。
【００７７】
図１５は、図１４に示す状態から、可動腕部がさらに挿入方向に移動した状態を示す図である。図１６のパート（Ａ）は平面図であり、パート（Ｂ）は概略断面図である。
【００７８】
図１５には、カードＪ（図４参照）が挿入方向Ｐの最奥まで押し込まれた状態が示されている。可動腕部４２の被案内部４２２は、第１の弾性舌片６２２および第２の弾性舌片６２３を通り過ぎると、下方向Ｄに移動する。被案内部４２２は、第１の弾性舌片６２２および第２の弾性舌片６２３よりも下方向Ｄに移動する。被案内部４２２の下方向Ｄへの移動は、第１のカム片６２５によって促進される。
【００７９】
図１６は、図１５に示す状態から、可動腕部が排出方向に移動し始めた状態を示す図である。図１６のパート（Ａ）は平面図であり、パート（Ｂ）は概略断面図である。
【００８０】
可動腕部４２の被案内部４２２は、カードＪ（図４参照）への押込力の解除に伴って、図１５に示す位置から排出方向Ｅに戻る。第１の弾性舌片６２２および第２の弾性舌片６２３は、可動腕部４２の被案内部４２２を、今度は下面で案内する。より詳細には、被案内部４２２は、ロック部６２Ｌに向けて、第１の弾性舌片６２２および第２の弾性舌片６２３双方の下面と、第２のカム片６２６の上面との間を通過する。このとき、可動腕部４２は、第２のカム片６２６に案内されることによって、第１の弾性舌片６２２および第２の弾性舌片６２３双方を上方向Ｕに弾性変形させながら移動する。
【００８１】
可動腕部４２の被案内部４２２が、排出方向Ｅに移動する途中で第２のカム片６２６を通過すると、第１の弾性舌片６２２および第２の弾性舌片６２３は弾性変形した状態から、下方向Ｄに戻る。これによって、被案内部４２２の移動経路が切り替わる。
【００８２】
被案内部４２２は、第２の弾性舌片６２３のロック部６２Ｌに当接する。被案内部４２２がロック部６２Ｌに当接した位置を、ロック位置と称する。被案内部４２２は、ロック位置に保持されることで、排出方向Ｅへの更なる移動が阻止される。したがって、カードＪ（図１参照）の排出方向Ｅへの戻りが止まる。図１６に示す状態は、カードＪ（図１参照）がカードコネクタＣ２に装着完了した状態である。
【００８３】
［カードの取出し］
図１７は、図１６に示す状態から、可動腕部が挿入方向に移動した状態を示す図である。図１７のパート（Ａ）は平面図であり、パート（Ｂ）は概略断面図である。
【００８４】
カードＪ（図１参照）が、取出しのため挿入方向Ｐに押し込まれると、図１６に示す位置にある可動腕部４２がカードＪに押されて挿入方向Ｐに移動する。第２のカム片６２６と、第１の弾性舌片６２２および第２の弾性舌片６２３との間の経路は、第１の弾性舌片６２２および第２の弾性舌片６２３が弾性変形から戻ったことで塞がれている。つまり、可動腕部４２の被案内部４２２は、第１の弾性舌片６２２および第２の弾性舌片６２３の下面に沿う移動が阻止されている。したがって、被案内部４２２は、今度は、第２のカム片６２６の下面に案内され、カム片基部６２７よりも挿入方向Ｐに移動する。カム片基部６２７よりも挿入方向Ｐに移動した被案内部４２２は、可動腕部４２の弾性力によって上方向Ｕに戻る。
【００８５】
図１８は、図１７に示す状態から、可動腕部が排出方向に移動し始めた状態を示す図である。図１８のパート（Ａ）は平面図であり、パート（Ｂ）は概略断面図である。
【００８６】
可動腕部４２は、カードＪ（図４参照）への押込力の解除に伴って、図１７に示す位置から排出方向Ｅに戻る。可動腕部４２の被案内部４２２は、第１のカム片６２５よりも挿入方向Ｐ奥側から、第１のカム片６２５の上面を案内されて排出方向Ｅに移動する。この結果、可動腕部４２は図１３に示す状態に戻る。可動腕部４２の排出方向Ｅへの移動に伴い、カードＪ（図１参照）は排出される。
【００８７】
本実施形態のカードコネクタＣ２は、カム係合を駆動するためのスライダや、ハートカム溝と係合するカムロッドを備える必要が無い。このため、部品点数が低減され、カードコネクタの小型化が可能である。また、イジェクト機能がカードの切欠きに依存せず実現できる。また、案内機構６２は、シェル６の一部に設けられているため、部品点数が低減される。
【００８８】
また、案内機構２２の第１の弾性舌片２２２および第２の弾性舌片２２３は、それ自体が変形することで可動腕部４２の案内経路を切換えている。したがって、例えばハート型溝の底の段形状によって案内経路を切換える溝カムとは異なり、弧を描いて移動するトーションばね４の被案内部４２２であっても確実に案内することができる。
【００８９】
なお、上述した実施形態には、本発明にいうカム片の例として、シェル２，６の一部として設けられたカム片が示されている。ただし、本発明はこれに限られるものではなく、カム片は、例えばハウジングの一部に形成されたものであってもよく、また、シェルやハウジングとは別の部材であってもよい。
【００９０】
また、上述した実施形態には、本発明にいうカードの例として、ＳＤカードが示されている。ただし、本発明はこれに限られるものではなく、カードは、例えばＳＩＭカードであってもよい。
【００９１】
また、上述した第１実施形態には、カム片を有する案内機構２２が示されている。ただし、本発明はこれに限られるものではなく、例えば、可動腕部が上下方向への変形を抑えて移動方向に移動する場合には、案内機構にカム片が設けられないものであってもよい。
【００９２】
また、上述した第１実施形態では、第１のカム片２２５よりも下に移動した可動腕部４２が、その次に第１の弾性舌片２２２よりも下に移動し、その次に第１のカム片２２５よりも下に移動し、そして、その次に第２の弾性舌片２２３よりも下に移動していく。本発明はこれに限られるものではなく、各片の配置および可動腕部の移動順は上下逆であってもよい。これに関連して、本発明にいう第１の面および第２の面は、実施形態で示した各片の上面および下面とは逆であってもよい。
【符号の説明】
【００９３】
Ｃ１，Ｃ２    カードコネクタ
１    ハウジング
１１    受入空間
２，６    シェル
２２，６２    案内機構
２２ａ    外面
２２Ｌ，６２Ｌ    ロック部
２２２，６２２    第１の弾性舌片
２２３，６２３    第２の弾性舌片
２２５，６２５    第１のカム片
２２６，６２６    第２のカム片
４    トーションばね
４２    可動腕部
４２１    当接部
４２２    被案内部
６２２    第１の弾性舌片
６２３    第２の弾性舌片
６２５    第１のカム片
６２６    第２のカム片（第３のカム片）
Ｐ    挿入方向
Ｅ    排出方向
Ｕ    上方向
Ｄ    下方向
【図１】
2014026770.tif 000003
【図２】
2014026770.tif 000004
【図３】
2014026770.tif 000005
【図４】
2014026770.tif 000006
【図５】
2014026770.tif 000007
【図６】
2014026770.tif 000008
【図７】
2014026770.tif 000009
【図８】
2014026770.tif 000010
【図９】
2014026770.tif 000011
【図１０】
2014026770.tif 000012
【図１１】
2014026770.tif 000013
【図１２】
2014026770.tif 000014
【図１３】
2014026770.tif 000015
【図１４】
2014026770.tif 000016
【図１５】
2014026770.tif 000017
【図１６】
2014026770.tif 000018
【図１７】
2014026770.tif 000019
【図１８】
2014026770.tif 000020